(57)【要約】  水、ガスまたは電気等の必需品の消費量を測定し、また、漏れ、故障、短絡その他の不調、予期しないメータのバイパス等による消費量の異常を検出するための機能を有する、実用メータエンドポイント。上記エンドポイントは、変更できるタイムスケジュールに応じて複数のサンプルを取り上げ異常な行為や問題を反映するプログラム可能な基準値に対して消費パターンをテストする。基準値が満足されたとき、エンドポイントは通常の消費サイクルの間にＡＭＲシステムに対して異常なイベントの発生を報告でき、または、特別な予定外の通信によってアラームを伝送できる。
2009512949.tif 000002
【特許請求の範囲】
【請求項１】
実用メータに通信結合された  エンドポイントを有する自動メータ読み取りシステムにおける  エンドポイントの操作方法であって、
ａ）サンプルウインドウのスタートにおいて実用メータからの第１の読み取りを行ないメモリ内に貯蔵し、
ｂ）サンプルウインドウの終りにおいて実用メータからの第２の読み取りを行ない、
ｃ）所定の消費を実行するため上記第１、第２の読み取りからサンプルウインドウ期間の実用消費量を定め、
ｄ）定めた実用消費量を問題イベント基準値と比較し、応答し、
ｅ）設定した実用消費量が問題イベント基準値に合致したとき設定実用消費量を出来事としてメモリし、
ｆ）上記ａ）〜ｅ）の工程を繰り返し、
ｇ）設定実用消費量が問題イベント基準値に合致する連続回数をイベントカウント基準値と比較し、及び
ｈ）上記連続回数が問題イベント基準値に等しいかまたはこれより大きいとき明確な検出を示すＲＦ信号を伝送する
ことを特徴とする  エンドポイントの操作方法。
【請求項２】
自己学習ソフトウエアを用いて  エンドポイントによって、サンプルウインドウ、サンプル期間、問題イベント基準値、またはイベントカウント基準値を作る工程を有することを特徴とする請求項１記載の方法。
【請求項３】
エンドポイントを設けたとき、サンプルウインドウ、サンプル期間、問題イベント基準値、またはイベントカウント基準値を作る工程を有することを特徴とする請求項１記載の方法。
【請求項４】
実用消費量の連続する２度の設定値が問題イベント基準値に合致しないとき貯蔵された出来事の回数を零にリセットする工程を有することを特徴とする請求項１記載の方法。
【請求項５】
明確な検出の指示をＡＭＲシステムに所定の伝送間隔で伝送する工程を有することを特徴とする請求項１記載の方法。
【請求項６】
所定の伝送間隔の前に明確な検出の指示をＡＭＲシステムに伝送する工程を有することを特徴とする請求項１記載の方法。
【請求項７】
異常な低消費量に対して問題イベント基準値
を作る工程を有することを特徴とする請求項１記載の方法。
【請求項８】
異常な高消費量に対して問題イベント基準値を作る工程を有することを特徴とする請求項１記載の方法。
【請求項９】
所定の実用消費量をメモリに記録する工程が実際の消費量を記録することを含むことを特徴とする請求項１記載の方法。
【請求項１０】
所定の実用消費量をメモリに記録する工程が実際の消費量を記録することを含まないことを特徴とする請求項１記載の方法。
【請求項１１】
上記工程ｅ）とｆ）間にある休止時間を含むことを特徴とする請求項１記載の方法。
【請求項１２】
上記時間間隔がサンプル期間を有することを特徴とする請求項１１記載の方法。
【請求項１３】
実用メータによって異常値を検出するため実用メータに通信結合されたエンドポイントであって、
ａ）ＲＦ伝送装置と、
ｂ）メモリを有し、パラメータを形成できるプログラム指令によって操作されるマイクロプロセッサと、
より成り、上記パラメータがサンプルウインドウと、サンプル期間と、問題イベント基準値と及びイベントカウント基準値とを有し、サンプルウインドウのスタートにおいて実用メータから第１の読み取りを取り出し、サンプルウインドウの終りにおいて実用メータから第２の読み取りを取り出し、メモリに記録し、
上記第１、第２の読み取りからサンプルウインドウ期間の実用消費量を定め、
定められた実用消費量を上記問題イベント基準値と比較し、合致したとき上記定められた実用消費量をメモリ内に記録し、
上記定められた実用消費量が問題イベント基準値と合致する連続回数をイベントカウント基準値に比較し、及び
上記連続回数が上記問題イベント基準値に等しいか上記イベントカウント基準値以上のとき上記ＲＦ伝送装置が明確な検出を指示することを特徴とするエンドポイント。
【請求項１４】
少なくとも１つのパラメータが自己学習ソフトウエアを用いたエンドポイントにより形成されることを特徴とする請求項１３記載のエンドポイント。
【請求項１５】
少なくとも１つのパラメータがエンドポイントを設けたとき形成されることを特徴とする請求項１３記載のエンドポイント。
【請求項１６】
上記連続回数の２つが上記上記問題イベント基準値に合致しないとき上記連続回数がゼロにリセットされることを特徴とする請求項１３記載のエンドポイント。
【請求項１７】
上記ＲＦ伝達装置が所定の間隔でＡＭＲに信号を伝送し、所定の伝送間隔で明確な検出をＡＭＲに伝送することを特徴とする請求項１３記載のエンドポイント。
【請求項１８】
上記ＲＦ伝達装置が一連の所定の間隔でＡＭＲに信号を伝送し、所定の伝送間隔の前に明確な検出をＡＭＲに伝送することを特徴とする請求項１３記載のエンドポイント。
【請求項１９】
上記問題イベント基準値が異常低消費値であることを特徴とする請求項１３記載のエンドポイント。
【請求項２０】
上記問題イベント基準値が通常の高い消費値であることを特徴とする請求項１３記載のエンドポイント。
【請求項２１】
上記所定の実用消費値のメモリへの記録が実際の消費値の記録を含むことを特徴とする請求項１３記載のエンドポイント。
【請求項２２】
所定の実用消費値のメモリへの記録が実際の消費値の記録を含まないことを特徴とする請求項１３記載のエンドポイント。
【発明の詳細な説明】
【技術分野】
【０００１】
本発明は、消費量の測定方法及び装置、特に、異常な消費パターンの検出方法及び装置に関するものである。
【背景技術】
【０００２】
自動メータ読み取り（ＡＭＲ）システムは既知である。遠隔地から顧客のメータを読み取り、モニタするため無線（ＲＦ）通信を用いるＡＭＲシステムが用いられている。ＡＭＲシステムは実際の読み取り値の合計と、請求書の管理の効率と正確さを上げるため効果的である。例えば、家庭用ガス、電気、水等のメータの月毎の読み取りにＡＭＲシステムを用いれば、各家庭を廻ってメータを見る必要性を除くことができる。
【０００３】
最近のＡＭＲシステムとしては種々異なる型のものが作られている。固定のネットワークにおいてはメータ位置のエンドポイント装置がメータを読み取り合計し、データをＲＦ通信を用いて伝送するリーダに接続されている。広い地域に亘り複数の固定の中間リーダやリレーが配置され、各エンドポイント装置が特定のリーダに関連付けられ、各リーダは中央システムに連結されている。他の固定システムは総べてのエンドポイトが接続される１つの中心リーダのみを利用する。移動可能な場所では、場所から場所に移動リーダを移動してエンドポイント装置からのデータを集めるためのＲＦ通信能力を有する移動リーダまたはハンドユニットを用いる。
【０００４】
ＡＭＲシステムは１方向、１．５方向または２方向通信能力を有する。一方向システムにおいては、レシーバにデータを送るためエンドポイント装置は周期的にオンとし、または、“バブルアップ”する。１．５方向ＡＭＲシステムは始動信号をエンドポイントを送るリーダを有し、読み取りを行なう。２方向システムはエンドポイント装置と、レシバー／伝達装置間を制御し、並びにエンドポイント装置によりデータを伝送せしめる。
【０００５】
消費情報を報知することに加えエンドポイントは異常なまたは警戒すべき行為が検出されたとき警報を実用プロバイダに送る必要がある。実用メータに協働する不正及び不調検出システムは既知である。機械的、電子機械的、光学的及び電子的システムは特許文献１〜１３に示されている。
【特許文献１】米国特許３８９３５８６号明細書
【特許文献２】米国特許４５８８９４９号明細書
【特許文献３】米国特許４６６５３５９号明細書
【特許文献４】米国特許４８１１６００号明細書
【特許文献５】米国特許５０２５４７０号明細書
【特許文献６】米国特許５０８６２９２号明細書
【特許文献７】米国特許５１１３１３０号明細書
【特許文献８】米国特許５１４８１０１号明細書
【特許文献９】米国特許５２９３１１５号明細書
【特許文献１０】米国特許５４２２５６５号明細書
【特許文献１１】米国特許５４７３３２２号明細書
【特許文献１２】米国特許６０９８４５６号明細書
【特許文献１３】米国特許６２３６１９７号明細書
【発明の開示】
【発明が解決しようとする課題】
【０００６】
上記イベント検出システムはメータまたはエンドポイントに生じた異常な状態を指示できるが、これらシステムはメータまたはエンドポイント装置自体が直接不法に手が加えられていないとき、顧客によってメータの漏れやバイパスのような問題や誤使用を示す異常な消費パターンを認識できるようにはなっていない。
【０００７】
中心ステーションに集められた測定データの解析により長期間の平均使用傾向を示すことができるが、集められた消費データは、消費における急な、然し移一時的な変化である必要な短い期間のパターンを引き出すことができるように十分な回数サンプルされ集められたものではない。例えば、従来のように集められたメータの読みからは昼と夜の消費パターン間の区別はできない。メータ読み取り回数を増加することは、ＡＭＲシステム通信チャンネル容量に対する制限のため非現実的である。更に、エンドポイント装置は電池によって作動されているため、及び伝送回数の制限のため情報の無線伝送の回数の大きな増加は望ましくない。
【０００８】
本発明の目的は、消費の異常を検出するための機能を有する、水、ガスまたは電気等の必需品の消費量を測定する実用メータエンドポイントを得るにある。上記異常には漏れ、不正、短絡または他の故障、許されないメータのバイパス等が含まれる。以上の検出に応じて好ましくはエンドポイント装置はリーダまたはデータ受け取りステーションに自動メータ読み取り（ＡＭＲ）システムを介して効果的に指示を送る。
【０００９】
短い期間の消費量変化または使用パターンを検出するためメータの読みをより多くの回数送る代りに、本発明の実施例における実用メータエンドポイントはタイムスケジュールに応じて複数のサンプルを取り出し、異常な行為または他の問題の或る型を反映するプログラム可能な基準値に対して使用パターンをテストする。基準値を満足するときは、検出された異常イベントは通常の伝送サイクルの間エンドポイントによりＡＭＲシステムに応答できる。また、エンドポイントは特別なアラーム条件を予定外に伝送できる。
【課題を解決するための手段】
【００１０】
本発明の一実施例においては、実用プロバイダーは、１つまたは１つ以上の消費レートしきい値と、所定の期間におけるしきい値イベントの発生回数と、消費のサンプリング期間、及びサンプリング回数のようなパラメータのセットをベースとしてプログラム可能な基準値を定めることができる。異なる型のメータと設備は対応する欠かんパラメータ設定に関連せしめ得る。例えば、単一家族の住居、複数家族の住居、商業サイト、光産業及び重工業設備には夫々異なるパラメータのセットを設定可能である。
【００１１】
また、本発明の実施例においてはエンドポイント装置は、各顧客の利用パターンの設定、設定されたパターンからの疑わしい変動の特定を自動的に判断するようにプログラムできる。
【発明を実施するための最良の形態】
【００１２】
以下図面によって本発明の実施例を説明する。
【実施例１】
【００１３】
エンドポイントとＡＭＲ通信モード
【００１４】
図１に示す本発明の  ＡＭＲシステム１００は電気メータ１０２と、ガスメータ１０４と、水用メータ１０６とを含む少なくとも１つの実用測定装置を有する。メータの夫々は電源または電池によって作動される。  ＡＭＲシステム１００は更に１つのメータに対応し、接続される少なくとも１つのエンドポント１０８を有する。各エンドポイントは１０８例えば米国特許第５０５６１０７号、米国特許第６２６２６８５号、及び米国特許６９３４３１６号明細書に示されているアイトロン  インコーポレイテッド製ＥＲＴ等の無線周波数（ＲＦ）装置であるのが好ましい。上記システムは更に固定または可動の１つまたは１つ以上のリーダを含む。図１は、（１）アイトロン  オフサイト  メータ読み取りシステムで用いられる可動手持リーダ１１０と、（２）アイトロン  ＡＭＲシステムで用いられる移動車載  リーダ１１２と、（３）付加的構成要素としてのセル制御  ユニット（ＣＣＵ）と  ネットワーク制御ノード（ＮＣＮ）を用いるアイトロン固定  ネットワーク  ＡＭＲシステムのような固定無線通信  ネットワーク１１４と、及び（４）ＰＳＴＮを通す電話通信及びコンセント  レータを通す無線通信の双方を用いるアイトロン  マイクロ  ネットワーク  ＡＭＲのような固定マイクロ  ネットワーク  システムを示す。これらシステムの種々の特許及びシステムは公知例として示す。勿論、他の型の  エンドポイント装置、リーダ及びＡＭＲ  ネットワークも用い得る。  ＡＭＲシステム１００には更に測定データの集合を管理し、ユテリティにこのデータを送るヘッド側  ホストプロセッサ１１８、及び供給者請求システム１２０を含む。
【００１５】
エンドポイント１０８によって集められたデータは移動リーダ１１０、１１２または固定無線通信  ネットワーク１１４によって  ＡＭＲシステムを介して読み取ることができる。また、データは  リーダと  エンドポイント１０８間の通信範囲を広げる中間  トランスミッタ／レシーバ  を介して  ＡＭＲシステムによって読み取り、再伝送できる。  エンドポイント  データの読み取り方法にかかわらずリーダには  トランスミッタ、レシーバ、入力要素及びデータ貯蔵  コンパウンドを含め得る。
【００１６】
ＡＭＲシステム１００においては、  エンドポイント１０８によって一方向メータ  読み取り、１．５方向メータ  読み取り、２方向メータ  読み取りを可能とする。一方向メータ  読み取りシステムにおいては、各エンドポイント  からの同期して送られたメッセージを  リーダが受け取る。このシステムでは  エンドポイントは  リーダからの情報を受け取る必要はない。２方向読み取りシステムにおいては、  エンドポイントはリーダによって出された促進信号を受け取り、応答する。促進信号には実用メータ  消費データのためのリクエスト、エンドポイントの操作状態または形状設定についての情報、停電等の発生についての情報、特定された操作パラメータ変更の情報等を含む。従って、２方向メータ  読み取りシステムは、リーダのコミュニケーション及び指令に対する  エンドポイントの応答を促進しながら、エンドポイントに対する任意の指令及び  ＡＭＲシステムの  リーダ  コミュニケーションを促進せしめる１．５方向メータ  読み取りシステムは、エンドポイントによる  データ伝送要求を促進し、２方向システム  のコミュニケーションの制御及び複雑な指令を避けるようにする。１．５方向システム  においては、リーダはエンドポイントに促進信号を送り、  エンドポイントは促進信号を受け取り、これに応答して集合データを単に送る。
【００１７】
図２は実用メータ  エンドポイント２０８の一実施例を示す。  エンドポイント２０８は実用メータ２１０に接続され実用メータ２１０から消費量、実用メータの状態、歴史等の関連データを受け取り、  ＡＭＲシステム２１２に  データを送る。  エンドポイント２０８は、カップリング２１５を介して実用メータ２１０に結合されるインターフェース  システム２１４を含む。一実施例においてはカップリング２１５は、実用メータ２１０と  エンドポイント２０８間を物理的及び電気的に連結する電気的及び機械的な要素を含む。例えば、カップリング２１５は、マイクロプロセッサまたはマイクロ  コントローラ２１６によって読み取られるデジタル表示に電気信号を変えるインターフェース  システム２０８内のインターフェース  ハードウエアに実用メータ２１０から電気信号を送る電気的コネクタ及びコンダクタを含む。インターフェース  システム２１４はそれ自体インターフェース２１５を介してマイクロプロセッサ２１６に接続される。一実施例においては、インターフェース２１５はデータ  バス及びアドレス  バスの一部を含む。インターフェース２１５には一連のコミュニケーション  リンクを有せしめ得る。
【００１８】
マイクロプロセッサ２１６は  エンドポイント２０８の操作を監視するコントローラである。一実施例においてはマイクロプロセッサ２１６はメモリ、指令プロセス  及びインプット／アウトプット回路を有するマイクロプロセッサである。マイクロプロセッサ２１６はインターフェース２１７を介して無線  トランシーバ２１８に接続される。一実施例においてはインターフェース２１７はアンテナ２２０に接続されたアドレス  バス及びデータ  バスの一部を含む。インターフェース２１７には一連のコミュニケーション  チャンネルを有せしめ得る。インターフェース  ハードウエア２１４はマイクロプロセッサ２１６に実用メータのデータを送り、変換する。マイクロプロセッサ２１６はデータを処理し少なくとも一時的に貯蔵し、トランシーバ２１８によって好ましいまたはプログラムされた／あらかじめ定められた時間に  ＡＭＲシステム２１２にデータを送る。
【００１９】
一実施例においては、  エンドポイント２０８は時間の５０％以上に亘り低パワースタンバイモードで操作される。スタンバイモードではインターフェース  システム２１４、マイクロプロセッサ２１６及びトランシーバ２１８は効果的に遮断され電力消費量は無視できる程度である。タイマ２２２は遮断システムを周期的に変更しこれらを操作モードとする。一実施例においては、タイマ２２２はマイクロプロセッサ２１６に接続される独立回路とする。他の実施例においては、タイマ２２２は、マイクロプロセッサ２１６の一部であるマイクロコントローラ内監視タイマとして機能する。何れの実施例においてもタイマ２２２の１つの特徴は操作時のエネルギ消費が比較的小さいことである。またタイマ２２２に設定した時間終了により、タイマ２２２は、スタンバイモードにあるシステムをオンラインとする信号を作る。この実施例ではマイクロプロセッサ２１６からのセットアップ信号２２３によってタイマ２２２内に設定可能時間をセットする。例えば、セットアップ信号２２３はデータ  バスまたは他のコミュニケーション  チャンネルを介して送ることができる。
【００２０】
本発明の一実施例においては、  エンドポイント２０８は電源２２４を含む。電源２２４は１つまたはそれ以上の電池を含む。電源２２４は調節されたパワーを作り、スイッチ可能なパワー  バス２２５を介してこれをインターフェース  システム２１４、マイクロプロセッサ２１６、トランシーバ２１８に送る。電源２２４はパワー  ライン２２６を介してタイマ２２２に調節されたパワーを送る。タイマ２２２は電源２２４に対する制御信号２２８を作り、電源２２４は  パワー  バス２２５にパワーを加える。マイクロプロセッサ２１６は電源２２４に対し制御信号２３０を作り、電源２２４はパワー  バス２２５からパワーを除去する。スタンバイモードの始めにおいては、タイマ２２２にはセットアップ信号２２３を介してマイクロプロセッサ２１６によってセット可能な期間がセットされる。タイマ２２２は時間の経過をモニタし、設定タイム終了時電源２２４に対する信号を作り、パワー  バス２２５にパワーが加わるようにする。パワー  バス２２５を介してパワーがマイクロプロセッサ２１６、インターフェース  システム２１４及びトランシーバ２１８に加えられたとき、マイクロプロセッサ２１６がインターフェース  システム２１４を介して実用メータ２１０からの合計データであるプログラム指令またはコードの実行を開始し、一時的にトランシーバ２１８を作動せしめる。プログラムが完了したとき、マイクロプロセッサ２１６はタイマ２２２に時間を設定し、タイマーを始動し、パワー  バス２２５を介してパワーを受けているシステムをパワーダウンせしめるための信号２３０を発生せしめる。
【００２１】
上述の一時的な操作サイクルはバブル  アップ  イベントに  応答する  エンドポイント動作の一例である。ここで云う  バブル  アップ  イベントとは、エンドポイントが低パワースタンバイ操作モードまたは状態から外れ、データを集めるための及びまたはデータコミュニケーションに係合する目的のためより活性な操作モードまたは状態に入る状態である。バブルアップイベントの１例は、先のバブルアップイベントから所定期間経過した状態である。バブル  アップ  イベントの他の例は、コミュニケーション  サイクルが実行されたときの時刻と所定のデータが得られた状態である。  エンドポイント２０８の一実施例においては、バブル  アップ  イベントに応答してトランシーバ２１８が一方向コミュニケーション  モードで操作され、ＲＦ  コミュニケーション２２１を介して実用メータ  データが単に送られる。この一方向コミュニケーションを支持するため、リーダは  エンドポイントによって  トランスミッションに受け入れられるモードで連続的に操作する。このプログラムされた操作モードに応じて、  エンドポイント２０８は、更なるバブル  アップ  イベントに応じて後の  トランスミッションのためメータ  データを集め、処理することによってバブル  アップ  イベントに対応することができる。
【００２２】
２方向及び１．５方向  エンドポイントもまた所定期間のため一時的に受け入れ易い操作モードを導入することによって通信的に応答できる。例えば、一実施例においては所定期間の間  ＡＭＲシステムを介してトランシーバ２１８が入ってくる通信を検出したときはトランシーバ２１８はマイクロプロセッサ２１６に信号を送る。次いでマイクロプロセッサ２１６は受け取った信号に応答するか否かを定める。２方向  エンドポイントの一実施例においては、  エンドポイント２０８に通信を送ることをマイクロプロセッサ２１６が定めたときマイクロプロセッサ２１６は  ＡＭＲシステム２１２からの更なる指令を受け取るようプログラムされる。更なる指令は  エンドポイント２０８からの実用メータ消費データのような特別な情報を要求できこの場合には  エンドポイント２０８はこのようなデータを伝送する。別の例では、更なる指令は  エンドポイント２０８の形を変えることを要求でき、この場合にはマイクロプロセッサ２１６は若し許されるならばその変更に従がう。この例では  ＡＭＲシステム２１２は、形状変化、データ伝送の要求等の任意の情報を  エンドポイント２０８に送ることができる。  エンドポイント２０８は次いでその操作プログラムに応じて受け取った指令に応答する。
【００２３】
１．５方向  エンドポイントの一実施例においては、  エンドポイントに送るように定められた受信信号に応じて所定期間に例えば実用消費データ等のデータのあらかじめ定められたデータのセットを送るようプログラムされる。この例においては、１．５方向  エンドポイントは２方向通信計画を支持するために必要とされる、必要以上の処理、受け取り、及び関連するエネルギ消費が避けられる。
【００２４】
一実施例においては、エンドポイント２０８は、  ＡＭＲシステム２１２によって要求されないまたは予定されない付加的情報の自発的初期伝送をなし得る。例えば、  エンドポイント２０８は、検出された不当なイベントや実用消費における疑わしい変化に応じたアラーム情報を送ることができる。このような情報は計画されたバブル  アップ  イベントの期間にまたは緊急性や情報の優先度に応じて自発的に送ることができる。
【００２５】
異常な消費量の検出
【００２６】
本発明においては、  エンドポイントはデータ集合バブル  アップ  イベントとデータ伝送バブル  アップ  イベントの２つの型のバブル  アップ  イベントの間操作するようプログラムされる。データ集合バブル  アップ  イベントにおいては、  エンドポイト１０８は実用メータを読むため、消費及び他の情報を貯蔵するため、集合された情報を更に処理するため  パワー  アップされる。  エンドポイントは、この型のバブル  アップ  イベントの間  ＡＭＲシステムに通常はデータを送らない。データ処理は、不当な変更、漏れ、故障、疑わしい動作または他の異常を検出するための取り扱いパターンの解析を含む。データ集合バブル  アップ  イベントはメータ  データをサンプルすべきとき事実に応じた或る周期で生ずる。バブル  アップの間  エンドポイント２０８は  低パワー  スタンバイ状態となし得る。
【００２７】
データ伝送  バブル  アップ  イベントにおいては、  エンドポイント２０８はデータ集合バブル  アップ  イベントにおいて通常なされる機能の総べてを実行できる。更に、  エンドポイントは  ＡＭＲシステムに接続される。データ伝送  バブル  アップ  イベントは、例えば  ＡＭＲシステムにおける通信信頼性を最大とし、  エンドポイント２０８における電池寿命を長くするため計画された、または調節可能な間隔で行ない得る。更に、データ伝送  バブル  アップ  イベントを  エンドポイント２０８によって異常な消費量検出のようなイベント
の発生をベースとして発生することができる。
【００２８】
図３は異常な消費イベントを検出するためのルーチン３００の説明用フロー線図である。一実施例においてはルーチン３００のステップはデータ集合及びデータ伝送  バブル  アップ  イベントの間になされる。他の実施例においてはルーチン３００の特別なステップのみが、ステップ内の操作の質に応じて成される。
【００２９】
ルーチン３００は、実用メータ消費情報のサンプルを用いることをベースとし、あらかじめ定めた間隔の間で生じた消費量を定め、この定められた消費量を異常な行為を示す基準値と比較し、一致した場合には異常イベント検出とみなす。
【００３０】
好ましい実施例においてはサンプル間隔と異常な行為を示す基準値は変更可能とする。例えば、これらパラメータは工場において作り得る。１．５方向及び２方向  ＡＭＲシステムにおいては、パラメータはＡＭＲ通信を介して遠隔作成できる。例えば、  エンドポイント２０８は、特別な実用メータにおける実用消費の歴史をベースとしてパラメータを設定するため自己学習プログラムに応じて発見的解析を行なう。関連する実施例においては自己学習プログラムは、変形できるパラメータを有し実用プロバイダがいかに  エンドポイント２０８が学習したかを動的に再決定可能とする。
【００３１】
ルーチン３００においては、  エンドポイント２０８は自己形成し、または、サンプル  ウインドウ、サンプル期間、イベント基準値の問題及びイベント  カウント基準値を定めるため形成情報を受け取る。表１はこれら実験パラメータを要約したものである。
【００３２】
【表１】
2009512949.tif 000003
【００３３】
ステップ３０４において、  エンドポイント２０８は現在のサンプル期間の終り迄、即ち次のサンプル期間のスタート迄休止する。ルーチン３００のスタートにおいては、次のサンプル期間のスタートを近づけることができる。一実施例においては次のバブル  アップ  イベントを次のサンプル期間のスタートに一致せしめるようにすること及び低パワー  スタンバイモードにすることによってステップ３０４を実行する。
【００３４】
ステップ３０６においては、サンプルウインドウの開始時、  エンドポイント２０８によって第１のメータを読み取り、それを貯蔵する。次いで  エンドポイント２０８はサンプルウインドウの端部に応じた時間で次のバブル  アップ  イベントを開始するようにできる。このときステップ３０８で  エンドポイント２０８により第２の参照メータの読み取りを行なう。ステップ３１０において、サンプルウインドウ間に消費された供給商品の量を第１及び第２のメータ読み取り間の差によって計算する。
【００３５】
ステップ３１２において、  エンドポイント２０８は計算した差の値を問題のイベント基準値と比較する。この比較は、例えば  サンプルウインドウ間の計算された消費量から低いしきい値を単に引き算することでなし得る。ステップ３１４で示したように、問題イベント基準値が許容されないときは、イベントカウンタはステップ３１６でリセットされ、ルーチン  ループはステップ３０４に戻される。他方、問題基準値がサンプルウインドウ間に測定された消費量によって許容される場合にはイベント発生を記録する。一実施例においては記録はステップ３１８で示したようにイベントカウンタを単に増やすことより成る。また、実際の読み取り値及びまたは計算した、または測定された情報を記録しても良い。
【００３６】
次にステップ３２０において  エンドポイント２０８によりイベント回数の記録が先に設定したイベントカウント基準値に合致するか否かをテストする。イベントカウント基準値が合致しないときはルーチンループをステップ３０４に戻し、サンプルデータの集合を続ける。イベントカウント基準値が合致したときは、ルーチンは異常な消費行為の明確な検出があったことを示す。一実施例においては、検出した異常な消費イベントの検出の厳格さをベースとして  エンドポイント２０８は  ＡＭＲシステムに対し指示が出るか、または、アラームが直ちに出される次の通信時間迄待期される。ルーチンは明確な検出の記録を貯蔵するか、または、検出フラグをクリアにするかにより進め、ループはステップ３１６に戻される。
【００３７】
本発明は上記実施例に限定されず、本発明の精神の範囲内で種々増減、変更できることは勿論である。
【図面の簡単な説明】
【００３８】
【図１】本発明の一実施例における固定ＡＭＲシステムの補償セルの説明用線図である。
【図２】ＡＭＲシステムに無線で接続した実用  メータ  エンドポイントの一実施例説明用線図である。
【図３】本発明の目的に応じたエンドポイントによって異常な消費パターンを検出する方法のフロー線図である。
【図１】
2009512949.tif 000004
【図２】
2009512949.tif 000005
【図３】
2009512949.tif 000006
【国際調査報告】
2009512949.tif 000007